(57)【要約】      （修正有）【課題】シャーシにカバーを能率良く適正に取り付ける。【解決手段】ターンテーブル６及び光ピックアップ７を搭載したシャーシ８にカバー９を被せるようにしたディスク装置において、シャーシ８の両側縁部及び後端縁部にロック孔３２ａ〜３２ｃが形成され、カバー９の左右側周壁部２３ａ，２３ｂ及び後側周壁部２３ｄの端縁に一体突設した押さえ板３３ａ〜３３ｃが側方に折り曲げられ、各押さえ板３３ａ〜３３ｃの中央部にコ字状のスリットを形成することにより切り残した弾性変位可能な係合片３５ａ〜３５ｃが外向きに折り曲げられており、各係合片３５ａ〜３５ｃを各ロック孔３２ａ〜３２ｃに嵌入させて、各係合片３５ａ〜３５ｃの先端をシャーシ８に弾性的に係合させ、各押さえ板３３ａ〜３３ｃをシャーシ８に押し付けるようにした。【選択図】図１
2012053933.tif 000002
【特許請求の範囲】
【請求項１】
ターンテーブル及び光ピックアップを搭載したシャーシにカバーを被せるようにしたデ
ィスク装置において、前記シャーシの両側縁部及び後端縁部にロック孔が形成され、前記
カバーの左右側周壁部及び後側周壁部の端縁に一体突設した押さえ板が側方に折り曲げら
れ、該各押さえ板の中央部にコ字状のスリットを形成することにより切り残した弾性変位
可能な係合片が外向きに折り曲げられており、各係合片を各ロック孔に嵌入させて、該各
係合片の先端をシャーシに弾性的に係合させ、各押さえ板をシャーシに押し付けるように
したことを特徴とするディスク装置。
【請求項２】
前記各係合片が、各押さえ板から折り曲げた基板部と、該基板部の先端から折り曲げた
中央板部と、該中央板部の先端から折り曲げた先端板部とにより、Ｕ字状に形成され、カ
バーの左右両側に位置する係合片の基板部とカバーの後端に位置する係合片の基板部とが
互いに交差する方向に沿って配置されていることを特徴とする請求項１に記載のディスク
装置。
【発明の詳細な説明】
【技術分野】
【０００１】
本発明は、例えばＤＶＤ／ＢＤポータブルプレーヤなどのディスク装置に関し、特に、
シャーシにカバーを能率良く適正に取り付けることができるようにした。
【背景技術】
【０００２】
図５はＤＶＤ／ＢＤポータブルプレーヤを示すものであって、これは、本体１と、該本
体１にヒンジ２を介して開閉可能に取り付けたディスプレイ３とを有し、その本体１の上
面に形成した開閉蓋４付き凹部５内にローダーユニットＡが配置され、該ローダーユニッ
トＡは、ターンテーブル６及び光ピックアップ７を搭載したシャーシ８と、該シャーシ８
に被せたカバー９と備えている。
【０００３】
上記構成において、ディスクＤをターンテーブル６上に載置してクランプし、該ターン
テーブル６によりディスクＤを高速回転させ、光ピックアップ７をディスクＤの半径方向
に沿って移動させることにより、該ディスクＤに記録されている情報を読み取り、その情
報による映像をディスプレイ３に表示する。なお、１０は本体１上に配置した操作部であ
る。
【０００４】
図６及び図７に示すように、前記シャーシ８は、金属板からなり、中央に開口部１１が
開設され、その四隅に円形凹部１３が形成されており、該各円形凹部１３に嵌合する弾性
体（図示せず）を介して本体１に弾性的に支持されている。
【０００５】
前記シャーシ８の左右前後の外周縁部を直角に折り曲げて左右側外周壁部１４ａ，１４
ｂと前後側外周壁部１４ｃ，１４ｄとが形成され、前記開口部１１の左右の内周縁部を直
角に折り曲げて左右側内周壁部１５ａ，１５ｂが形成されている。なお、図６（ｃ）の１
６はターンテーブル６を回転させるためのスピンドルモータである。
【０００６】
従来、図７及び図８に示すように、後側外周壁部１４ｄに２つの貫通孔１７が所定間隔
をおいて貫設されると共に、左右側内周壁部１５ａ，１５ｂにそれぞれ１つの貫通孔１７
が貫設され、該各貫通孔１７の上縁中央部分を外向きに押出し成形することによりストッ
パ突起１８が一体突設され、前側外周壁部１４ｃにストッパ孔１９が貫設されている。
【０００７】
図７及び図８に示すように、前記カバー９は、弾性変位可能なステンレス薄板からなり
、ターンテーブル６及び光ピックアップ７に対向して長孔状開口部２１が中央に開設され
た長方形の天板２２を有し、該天板２２の左右前後の外周縁部を直角に折り曲げて左右側
周壁部２３ａ，２３ｂと前後側周壁部２３ｃ，２３ｄとが形成されている。
【０００８】
前記各ストッパ突起１８に対向して、左右側周壁部２３ａ，２３ｂの中央部端縁及び後
側周壁部２３ｄの両端近傍部端縁にそれぞれ所定間隔をおいて形成した一対のスリット２
５間にロック片２６が切り残され、該各ロック片２６にロック孔２７が貫設されている。
【０００９】
前記ストッパ孔１９に対向して、前側周壁部２３ｃの中央部端縁に一体延設した係合片
２８が直角に折り曲げられて天板２２と平行に形成されている。
【００１０】
図６及び図７に示すように、前記左右側周壁部２３ａ，２３ｂのロック片２６を間に挟
んだ両側部端縁に一体突設した弾性板３０が側方に直角に折り曲げられ、該各弾性板３０
の中央部を横断面半円状に折り曲げて当接部３０ａが形成され、その各弾性板３０の両端
から側方に突出する位置決め片３０ｂが設けられている。
【００１１】
カバー９の取付手順を説明すると、図７に示すように、カバー９を上方からシャーシ８
に向けて下ろし、係合片２８をストッパ孔１９に嵌入させ、各ロック片２６を弾性変位さ
せて各ロック孔２７をシャーシ８の各ストッパ突起１８に係合させ、各弾性板３０の当接
部３０ａをシャーシ８に弾性的に押し付ける〔図６及び図９（ａ）参照〕。なお、関連す
る技術として特許文献１に記載したものがある。
【先行技術文献】
【特許文献】
【００１２】
【特許文献１】特開２００６−６６０２２号公報
【発明の概要】
【発明が解決しようとする課題】
【００１３】
上記従来の構成では、図６（ｂ）に示すように、カバー９の各ロック孔２７と各ストッ
パ突起１８とが接触する固定位置Ｐ１に対して各当接部３０ａとシャーシ８とが接触する
荷重点Ｐ２が比較的広い間隔ｈをおいて離されているため、固定位置Ｐ１を支点とする大
きなモーメントＭが発生し、そのモーメントＭが天板２２の横断方向に沿って該天板２２
の中央部である強度的に弱い開口部２１の付近に集中しやすく、図９（ｂ）に示すように
、モーメントＭが上向きに作用して、天板２２が下向きに撓んだり、図９（ｃ）に示すよ
うに、モーメントＭが下向きに作用して、天板２２が上向きに撓むことがある。
【００１４】
図９（ａ）に示すように、この種のローダーユニット５では、天板２２と光ピックアッ
プ７との間の間隔α１及び天板２２とディスクＤとの間の間隔α２が極めて小さく設定さ
れているので（例えばα１，α２＝０．５ｍｍ程度）、図９（ｂ）に示すように、下向き
に撓んだ天板２２が光ピックアップ７に接触して、その光ピックアップ７の移動を阻害し
たり、図９（ｃ）に示すように、上向きに撓んだ天板２２がディスクＤに接触して、その
ディスクＤの高速回転を阻害するおそれがある。
【００１５】
また、各ロック片２６を弾性変位させて各ロック孔２７を各ストッパ突起１８に嵌合さ
せるのに比較的手間がかかって面倒であり、カバー９の取付作業能率が低い。
【００１６】
本発明は、上記従来の欠点に鑑み、シャーシにカバーを能率良く適正に取り付けること
ができるようにしたディスク装置を提供することを目的としている。
【課題を解決するための手段】
【００１７】
上記目的を達成するため、請求項１に記載の発明は、ターンテーブル及び光ピックアッ
プを搭載したシャーシにカバーを被せるようにしたディスク装置において、前記シャーシ
の両側縁部及び後端縁部にロック孔が形成され、前記カバーの左右側周壁部及び後側周壁
部の端縁に一体突設した押さえ板が側方に折り曲げられ、該各押さえ板の中央部にコ字状
のスリットを形成することにより切り残した弾性変位可能な係合片が外向きに折り曲げら
れており、各係合片を各ロック孔に嵌入させて、該各係合片の先端をシャーシに弾性的に
係合させ、各押さえ板をシャーシに押し付けるようにしたことを特徴としている。
【００１８】
請求項２に記載の発明は、請求項１に記載の発明において、前記各係合片が、各押さえ
板から折り曲げた基板部と、該基板部の先端から折り曲げた中央板部と、該中央板部の先
端から折り曲げた先端板部とにより、Ｕ字状に形成され、カバーの左右両側に位置する係
合片の基板部とカバーの後端に位置する係合片の基板部とが互いに交差する方向に沿って
配置されていることを特徴としている。
【発明の効果】
【００１９】
請求項１に記載の発明によれば、各係合片を各ロック孔に嵌入させて、該各係合片の先
端をシャーシに弾性的に係合させることにより発生する付勢力で各押さえ板をシャーシに
押し付けるようになっており、各係合片とシャーシとが接触する荷重点が各押さえ板とシ
ャーシとが接触する固定位置内に設けられているので、その荷重点に極めて小さいモーメ
ントしか発生せず、しかも、そのモーメントが押さえ板をシャーシに向けて押す方向に沿
ってかかり、そのモーメントがカバーの横断方向に沿ってはかからないから、該カバーの
天板が撓んだりせず、従来のようにカバーの天板が撓んで光ピックアップやディスクに接
触する事故の発生を防ぐことができる。
【００２０】
また、各係合片を各ロック孔に嵌入させるだけで、該各係合片の先端をシャーシに弾性
的に係合させて、カバーをシャーシに取り付けることができ、その取付作業を能率的に行
うことができる。
【００２１】
請求項２に記載の発明によれば、カバーの左右両側に位置する係合片の基板部とカバー
の後端に位置する係合片の基板部とが互いに交差する方向に沿って配置されているから、
各係合片をロック孔に嵌入させた状態で、カバーをその横断方向及び縦断方向に動かして
も、いずれかの係合片の基板部の側縁がロック孔の内周縁に当たり、そのカバーをシャー
シ上の所定位置から動かないように適正に取り付けることができる。
【図面の簡単な説明】
【００２２】
【図１】（ａ）は本発明の実施の一形態であるディスク装置の要部の平面図、（ｂ）は同要部の一部切欠き側面図、（ｃ）は同要部の縦断面図である。
【図２】同要部の分解斜視図である。
【図３】同要部の部分拡大分解斜視図である。
【図４】（ａ）は同要部の拡大横断面図、（ｂ）はＡ−Ａ矢視図である。
【図５】ディスク装置の斜視図である。
【図６】（ａ）は従来例の要部の平面図、（ｂ）は同要部の一部切欠き側面図、（ｃ）は同要部の縦断面図である。
【図７】同要部の分解斜視図である。
【図８】同要部の部分拡大分解斜視図である。
【図９】（ａ）は同要部の拡大横断面図、（ｂ）は同要部の作用状態の一例を示す拡大横断面図、（ｃ）は同要部の作用状態の他の例を示す拡大横断面図である。
【発明を実施するための形態】
【００２３】
図１〜図４は本発明の実施の一形態であるディスク装置（例えばＤＶＤ／ＢＤポータブ
ルプレーヤ）の要部を示すものであり、シャーシ８の両側縁部及び後端縁部に矩形状ロッ
ク孔３２ａ〜３２ｃが形成され、カバー９の左右側周壁部２３ａ，２３ｂ及び後側周壁部
２３ｄの端縁に一体突設した押さえ板３３ａ〜３３ｃが側方に直角に折り曲げられ、該各
押さえ板３３ａ〜３３ｃの中央部にコ字状のスリット３４を形成することにより切り残し
た弾性変位可能な係合片３５ａ〜３５ｃが外向きに折り曲げられている。
【００２４】
前記係合片３５ａ〜３５ｃは、各押さえ板３３ａ〜３３ｃから直角に折り曲げた基板部
３６と、該基板部３６の先端から直角に折り曲げた中央板部３７と、該中央板部３７の先
端から傾斜状に折り曲げた先端板部３８とにより、Ｕ字状に形成され、先端板部３８の先
端３８ａが基板部３６に向けてく字状に折り曲げられ、基板部３６の横幅Ｈ１がロック孔
３２ａ〜３２ｃの横幅Ｒ１と同一またはわずかに小さく設定され（Ｈ１≦Ｒ１）、中央板
部３７の縦幅Ｈ２がロック孔３２ａ〜３２ｃの縦幅Ｒ２よりも小さく設定され（Ｈ２＜Ｒ
２）、基板部３６から先端板部３８の先端３８ａまでの縦幅Ｈ３がロック孔３２ａ〜３２
ｃの縦幅Ｒ２よりも大きく設定されている（Ｈ３≧Ｒ２）。
【００２５】
図２に示すように、カバー９の左右両側に位置する係合片３５ａ，３５ｂの基板部３６
が該カバー９の横断方向Ｘに沿って配置されると共に、カバー９の後端に位置する係合片
３５ｃの基板部３６が該カバー９の縦断方向Ｙに沿って配置されており、その横断方向Ｘ
の基板部３６と縦断方向Ｙの基板部３６とを互いに交差する方向に沿って配置している。
上記以外の構成は図５〜図９に示す構成とほぼ同じであるから、同一部分に同一符号を付
してその説明を省略する。
【００２６】
カバー９の取付手順を説明すると、図２に示すように、カバー９を上方からシャーシ８
に向けて下ろし、係合片２８をストッパ孔１９に嵌入させ、各係合片３５ａ〜３５ｃの先
端板部３８の弾性変位させて、該各係合片３５ａ〜３５ｃを各ロック孔３２ａ〜３２ｃに
嵌入させ、その各係合片３５ａ〜３５ｃの先端３８ａをシャーシ８の下面に弾性的に当接
させることにより、各押さえ板３３ａ〜３３ｃをシャーシ８の上面に押し付ける。
【００２７】
上記構成によれば、各係合片３５ａ〜３５ｃを各ロック孔３２ａ〜３２ｃに嵌入させて
、該係合片３５ａ〜３５ｃの先端３８ａをシャーシ８の下面に弾性的に係合させることに
より発生する付勢力で各押さえ板３３ａ〜３３ｃをシャーシ８の上面に押し付けるように
なっており、図１（ｂ）に示すように、各係合片３５ａ〜３５ｃとシャーシ８とが接触す
る荷重点Ｐ２が各押さえ板３３ａ〜３３ｃとシャーシ８とが接触する固定位置Ｐ１内に設
けられているので、その荷重点Ｐ２に極めて小さなモーメントＭしか発生せず〔図４（ｂ
）参照〕、しかも、そのモーメントＭが押さえ板３３ａ〜３３ｃをシャーシ８に向けて押
す方向に沿ってかかり、そのモーメントＭがカバー９の横断方向に沿ってはかからないか
ら、該カバー９の天板２２が撓んだりせず、従来のようにカバー９の天板２２が撓んで光
ピックアップ７やディスクＤに接触する事故の発生を防ぐことができる〔図９（ｂ）（ｃ
）参照〕。
【００２８】
また、各係合片３５ａ〜３５ｃを各ロック孔３２ａ〜３２ｃに嵌入させるだけで、該各
係合片３５ａ〜３５ｃの先端３８ａをシャーシ８に弾性的に係合させて、カバー９をシャ
ーシ８に取り付けることができ、その取付作業を能率的に行うことができる。
【００２９】
更に、カバー９の左右両側に位置する係合片３５ａ，３５ｂの基板部３６が該カバー９
の横断方向Ｘに沿って配置されると共に、カバー９の後端に位置する係合片３５ｃの基板
部３６が該カバー９の縦断方向Ｙに沿って配置されているから、各係合片３５ａ〜３５ｃ
をロック孔３２ａ〜３２ｃに嵌入させた状態で、カバー９をその横断方向Ｘ及び縦断方向
Ｙに動かしても、いずれかの係合片３５ａ〜３５ｃの基板部３６の側縁がロック孔３２ａ
〜３２ｃの内周縁に当たり、そのカバー９をシャーシ８上の所定位置から動かないように
適正に取り付けることができる。
【符号の説明】
【００３０】
６              ターンテーブル
７              光ピックアップ
８              シャーシ
９              カバー
２３ａ〜２３ｃ  カバーの左右側周壁部
２３ｄ          カバーの後側周壁部
３２ａ〜３２ｃ  ロック孔
３３ａ〜３３ｃ  押さえ板
３４            スリット
３５ａ〜３５ｃ  係合片
３６            基板部
３７            中央板部
３８            先端板部
３８ａ          先端板部の先端
【図１】
2012053933.tif 000003
【図２】
2012053933.tif 000004
【図３】
2012053933.tif 000005
【図４】
2012053933.tif 000006
【図５】
2012053933.tif 000007
【図６】
2012053933.tif 000008
【図７】
2012053933.tif 000009
【図８】
2012053933.tif 000010
【図９】
2012053933.tif 000011